(57)【特許請求の範囲】
【請求項１】
ガス供給源とガス消費源との間に設けられた圧力調整器と、該圧力調整器と該ガス消費源との間に設けられたガスメータとを有するガス供給設備について、前記圧力調整器の劣化を監視する圧力調整器監視システムであって、
前記ガスメータと通信を行う集中監視装置を備え、
前記ガスメータは、前記ガス消費源で使用されるガスの使用時間と、該ガス消費源に供給されるガスの現在流量とを積算する演算手段と、該演算手段で積算した使用時間流量値を前記集中監視装置に通知する通知手段とを有し、
前記集中監視装置は、前記ガスメータの利用者情報を記憶する利用者情報記憶手段と、前記ガスメータから通信により通知される使用時間流量値の累算値が予め設定された使用時間流量上限値に達するのを監視する監視手段と、該ガスメータに対応する使用時間流量値の累算値が前記使用時間流量上限値に達すると、当該ガスメータに対応する前記利用者情報を提示する提示手段とを有する、
ことを特徴とする圧力調整器監視システム。
【請求項２】
ガス供給源に接続された圧力調整器とガス消費源との間に設けられたガスメータであって、
前記ガス消費源で使用されるガスの使用時間と、該ガス消費源に供給されるガスの現在流量とを積算する演算手段と、
該演算手段で積算した使用時間流量値を累算する累算手段と、
該累算手段で累算した累算値が予め設定された使用時間流量上限値に達するのを監視する監視手段と、
該使用時間流量値の累算値が使用時間流量上限値に達すると、前記圧力調整器が劣化状態であることを表示する表示手段とを有する、
ことを特徴とするガスメータ。
【請求項３】
前記圧力調整器から供給されるガスの調整圧力を検出する圧力センサと、
前記圧力調整器から供給されるガスの瞬時流量を検出する流量センサと、
前記圧力調整器の前記ガス供給源側の入口圧力の最大圧力と最小圧力に対応する、前記ガスメータ側の流量に応じた調整圧力上限値曲線と調整圧力下限値曲線とからなる特性曲線のデータを記憶する特性曲線記憶手段と、
を備え、
前記流量センサで検出される瞬時流量に対応して、前記特性曲線記憶手段の特性曲線のデータから、該瞬時流量に対応する調整圧力上限値と調整圧力下限値とを読み出し、前記圧力センサで検出される調整圧力が上記調整圧力上限値と調整圧力下限値との範囲から外れたときに前記圧力調整器の劣化警報を行うことを特徴とする請求項１の圧力調整器監視システムに用いるガスメータまたは請求項２に記載のガスメータ。
【請求項４】
請求項１、２または３に記載されたガスメータと通信を行う携帯端末であって、
前記ガスメータの利用者情報を記憶する利用者情報記憶手段と、
前記ガスメータから通信により通知される使用時間流量値の累算値が予め設定された使用時間流量上限値に達するのを監視する監視手段と、
該ガスメータに対応する使用時間流量値の累算値が前記使用時間流量上限値に達すると、当該ガスメータに対応する前記利用者情報を提示する提示手段とを有する、
ことを特徴とする携帯端末。
【発明の詳細な説明】
【技術分野】
【０００１】
本発明は、ガスボンベ等のガス供給源とガス燃焼機器等のガス消費源との間に設けられた圧力調整器の劣化を監視する圧力調整器監視システム、ガスメータ及び携帯端末に関する。
【背景技術】
【０００２】
従来、ガス供給設備は、ガス供給源であるプロパンガスボンベ、ガスボンベの下流側に接続された圧力調整器、圧力調整器の下流側に接続されたガスメータ、ガスメータの下流側に接続されたガス消費源であるガス燃焼機器等を含んでいる。
【０００３】
圧力調整器は、上流側のガスボンベから供給される高圧ガスを流量値に対してほぼ一定の圧力に調整して下流側に出力するものである。このため、圧力調整器は内部にダイヤフラム、弁、スプリング等の要素を含んでおり、これらの要素が経時変化により劣化する。このため、従来、圧力調整器の定期点検として、各家庭ごとに、所定のメンテナンス時期をセンターのデータベースにオペレータが手入力でインプットし、一定期間ごとに、センターからの指示で、点検員が決められた点検を行い、現場（設置場所）で圧力調整器の劣化が見つかれば、部品交換や圧力調整器そのものの交換を行っていた。
【０００４】
このメンテナンス時期は、圧力調整器が劣化する最短期間を想定して設定されているが、同じ圧力調整器でも、ほとんど使用していないと、所定のメンテナンス時期が来て点検を行ってもほとんど劣化しておらず交換をする必要はなく、その点検は無駄な工数となってしまう。そこで、この圧力調整器の劣化を監視する技術として、例えば特許文献１に開示されたものがある。
【特許文献１】特開２００６−１５３５４４号公報
【発明の開示】
【発明が解決しようとする課題】
【０００５】
ここで、圧力調整器が調整する圧力には２種類あり、ガス燃焼機器等がガスを消費しているときに調整された圧力を「調整圧力」と称し、前記特許文献１などでも、この調整圧力の変化により圧力調整器の劣化判断をおこなっている。なお、ガス燃焼機器等が全て使用されていないときに調整された圧力は「閉塞圧力」といわれる。
【０００６】
圧力調整器の劣化により調整圧力異常、閉塞圧力異常が生じる。圧力調整器内部のダイヤフラムのゴムが経時劣化により硬くなると、調整圧力は高くなる。また、ＬＰガスの中に含まれる不純物により、ダイヤフラムのゴムが膨潤すると、調整圧力は低くなる。さらに、圧力調整器内部のスプリングが錆びて劣化すると、調整圧力は低くなる。なお、圧力調整器内部の弁ゴムが摩耗してくると、その分ダイヤフラムの位置が変化してくるため、閉塞圧力は高くなる。
【０００７】
このように、圧力調整器の劣化により圧力が高くなる場合と低くなる場合がある。このため、ガスメータで検出される圧力だけで圧力調整器の劣化の判定を行うものにあっては、依然と改良の余地を残している。
【０００８】
本発明は、圧力調整器の劣化を適正な時期に判断しメンテナンスの効率化を図ることを課題とする。
【課題を解決するための手段】
【０００９】
請求項１の圧力調整器監視システムは、ガス供給源とガス消費源との間に設けられた圧力調整器と、該圧力調整器と該ガス消費源との間に設けられたガスメータとを有するガス供給設備について、前記圧力調整器の劣化を監視する圧力調整器監視システムであって、
前記ガスメータと通信を行う集中監視装置を備え、
前記ガスメータは、前記ガス消費源で使用されるガスの使用時間と、該ガス消費源に供給されるガスの現在流量とを積算する演算手段と、該演算手段で積算した使用時間流量値を前記集中監視装置に通知する通知手段とを有し、
前記集中監視装置は、前記ガスメータの利用者情報を記憶する利用者情報記憶手段と、前記ガスメータから通信により通知される使用時間流量値の累算値が予め設定された使用時間流量上限値に達するのを監視する監視手段と、該ガスメータに対応する使用時間流量値の累算値が前記使用時間流量上限値に達すると、当該ガスメータに対応する前記利用者情報を提示する提示手段とを有する、
ことを特徴とする。
【００１０】
請求項２のガスメータは、ガス供給源に接続された圧力調整器とガス消費源との間に設けられたガスメータであって、前記ガス消費源で使用されるガスの使用時間と、該ガス消費源に供給されるガスの現在流量とを積算する演算手段と、該演算手段で積算した使用時間流量値を累算する累算手段と、該累算手段で累算した累算値が予め設定された使用時間流量上限値に達するのを監視する監視手段と、該使用時間流量値の累算値が使用時間流量上限値に達すると、前記圧力調整器が劣化状態であることを表示する表示手段とを有する、ことを特徴とするガスメータ。
【００１１】
請求項３のガスメータは、請求項１の圧力調整器監視システムに用いるガスメータまたは請求項２に記載のガスメータであって、  前記圧力調整器から供給されるガスの調整圧力を検出する圧力センサと、前記圧力調整器から供給されるガスの瞬時流量を検出する流量センサと、前記圧力調整器の前記ガス供給源側の入口圧力の最大圧力と最小圧力に対応する、前記ガスメータ側の流量に応じた調整圧力上限値曲線と調整圧力下限値曲線とからなる特性曲線のデータを記憶する特性曲線記憶手段と、を備え、前記流量センサで検出される瞬時流量に対応して、前記特性曲線記憶手段の特性曲線のデータから、該瞬時流量に対応する調整圧力上限値と調整圧力下限値とを読み出し、前記圧力センサで検出される調整圧力が上記調整圧力上限値と調整圧力下限値との範囲から外れたときに前記圧力調整器の劣化警報を行うことを特徴とする。
【００１２】
請求項４の携帯端末は、請求項１、２または３に記載されたガスメータと通信を行う携帯端末であって、前記ガスメータの利用者情報を記憶する利用者情報記憶手段と、前記ガスメータから通信により通知される使用時間流量値の累算値が予め設定された使用時間流量上限値に達するのを監視する監視手段と、該ガスメータに対応する使用時間流量値の累算値が前記使用時間流量上限値に達すると、当該ガスメータに対応する前記利用者情報を提示する提示手段とを有する、ことを特徴とする。
【発明の効果】
【００１３】
圧力調整器は使用時間の経過とともに劣化する傾向にあるが、ガスの流量が多くなるとその劣化の傾向も強まる。したがって、請求項１の圧力調整器監視システムによれば、使用時間だけでなく現在流量も考慮して劣化の判断を行うので、劣化の適正な時期を判断できるとともに、集中監視装置でガス供給設備の圧力調整器の劣化の時期を判断できるので、メンテナンスの効率化を図ることができる。
【００１４】
請求項２のガスメータによれば、請求項１の効果に加えて、瞬時流量に応じて変化する調整圧力に対して、この瞬時流量に応じた検出圧力から、圧力調整器の劣化の判断を行うようにしているので、この調整圧力異常による劣化判断の精度が高まる。
【００１５】
請求項３のガスメータによれば、請求項１または２と同様な効果に加えて、使用時間だけでなく現在流量も考慮して劣化の判断を行うので、劣化の適正な時期を判断できる。
【００１６】
請求項４の携帯端末によれば、請求項１と同様に、使用時間だけでなく現在流量も考慮して劣化の判断を行うので、劣化の適正な時期を判断できるとともに、携帯端末でガス供給設備の圧力調整器の劣化の時期を判断できるので、メンテナンスの効率化を図ることができる。
【発明を実施するための最良の形態】
【００１７】
次に、本発明の実施の形態を図面に基づいて説明する。図１は本発明の一実施形態のガスメータ、携帯端末を用いた圧力調整器監視システムの概略構成図、図２は同実施形態のガスメータ、携帯端末を用いた圧力調整器監視システムのブロック図である。図１に示すように、複数の利用者宅には、それぞれガスを供給する複数のガス供給設備１０を備えている。このガス供給設備１０は、ガス供給源であるプロパンガスボンベ１と、圧力調整器２と、電子式のガスメータ３と、ガス消費源であるガス機器４とを含んでいる。圧力調整器２は、プロパンガスボンベ１とガス機器４との間に設けられ、ガスメータ３は圧力調整器２とガス機器４との間に設けられている。
【００１８】
プロパンガスボンベ１には、高圧プロパンガスが充填されており、図示しない元栓が開放されると、高圧ガスが配管部を介して圧力調整器２に供給される。圧力調整器２は、プロパンガスボンベ１から供給される高圧ガスを流量値に対してほぼ一定の圧力に調整して下流側に出力する。圧力調整器２は、例えば調整ばね等から構成される圧力調整手段を有し、ガス機器４は、例えば、ガス湯沸かし器、ガスオーブン、ガス冷暖房機等のようなガスをエネルギーとして消費する機器である。
【００１９】
電子式のガスメータ３、携帯端末５及び集中監視装置６は、それぞれ通信機能を有しており、ネットワーク７を介して、各ガスメータ３，３，…、携帯端末５及び集中監視装置６は通信を行ってデータの授受を行う。
【００２０】
図２に示すように、ガスメータ３は、演算手段及び表示手段としての制御部３１、圧力センサ３２、流量センサ３３、特性曲線記憶手段としてのＥＥＰＲＯＭ３４、表示手段としての表示部３５及び通信部３６を含んで構成される。制御部３１は、ＣＰＵ、ＲＯＭ及びＲＡＭ等を有するマイコンで構成されており、ＣＰＵがＲＯＭに記憶されている制御プログラムを実行することにより、後述の各種の処理を行う。圧力センサ３２は、ガスメータ３内に設けられた流路を通過するガスの圧力を検出する周知の検出素子である。流量センサ３３は、ガスメータ３内に設けられた流路を通過するガスの流量を検出するための検出素子であり、例えば、マイクロフローセンサや超音波ソナーが用いられる。なお、実際には、流量センサ３３で検出されたガスの瞬時流速に基づいて、制御部３１にて、瞬時流量、積算流量が計算される。また、ＥＥＰＲＯＭ３４には、圧力調整器２の性能曲線を示す性能曲線テーブルが記憶されている。
【００２１】
ここで、ガスメータ３は、流量センサ３３によりガスの瞬間瞬間の流量（瞬時流量）を検出することができるが、この瞬時流量は調整圧力及び閉塞圧力による圧力調整器２の劣化の判断を行う。一方、ガスメータ３は、ガス機器４（複数のガス機器）の使用状態に応じてガスの流量を、所定の範囲毎に区分して認識する。この流量のことを「現在流量」とし、現在流量とその使用時間の積を演算（積算）して使用時間流量値を求める。また、この使用時間流量値を積算するときの現在流量は、流量の区分が変化する毎に更新する。そして、一定期間毎に（例えば１日毎に）、使用時間流量値（積算値の累算値）を監視センターに送信する。監視センターでは、各ガスメータ３（及び圧力調整器２）に対応して、使用時間流量上限値（利用者情報の一部）を記憶しており、ガスメータ３（及びコントローラ５）から送信される使用時間流量値を累算していき、この累算値がそのガスメータ３に対応する使用時間流量上限値を超えると、圧力調整器２が劣化の時期であると判断する。
【００２２】
携帯端末５は、監視手段及び提示手段としての制御部５１、利用者情報記憶手段としてのＥＥＰＲＯＭ５２、提示手段としての表示部５３及び通信部５４を含んで構成される。制御部５１は、ＣＰＵ、ＲＯＭ及びＲＡＭ等を有するマイコンで構成されており、ＣＰＵがＲＯＭに記憶されている制御プログラムを実行することにより、後述の各種の処理を行う。なお、この携帯端末５は、設定器、ハンディターミナル、携帯電話機等であり、ガスの検針員が所持するものである。
【００２３】
集中監視装置６は、監視手段及び提示手段としての制御部６１、利用者情報記憶手段としてのＥＥＰＲＯＭ６２、提示手段としての表示部６３及び通信部６４を含んで構成される。制御部６１は、ＣＰＵ、ＲＯＭ及びＲＡＭ等を有するマイコンで構成されており、ＣＰＵがＲＯＭに記憶されている制御プログラムを実行することにより、後述の各種の処理を行う。この集中監視装置６は所定の監視センターに設置されている。
【００２４】
携帯端末５のＥＥＰＲＯＭ５２、集中監視装置６のＥＥＰＲＯＭ６２には、各ガスメータ３，３，…の利用者に関する利用者情報等が記憶されている。この利用者情報は、利用者に対応するガスメータ３の機器番号、利用者の圧力調整器２に対応する使用時間流量上限値、利用者の住所、氏名、電話番号等である。そして、携帯端末５、集中監視装置６で、各ガスメータ３から送信されてくる後述の使用時間流量値のデータに基づいて、対応する圧力調整器２の劣化の判断を行い、劣化時期と判断された圧力調整器２に対応する利用者情報を表示部５３，６３に表示する。また、各ガスメータ３の判断による劣化警報が発生している場合も、その劣化時期と判断された圧力調整器２に対応する利用者情報を表示部５３，６３に表示する。
【００２５】
図３は圧力調整器２の性能曲線の例を示す図であり、圧力調整器２からガスメータ３に流れるガスに関して、その流量に対する調整圧力（出口圧力）の関係を示している。調整圧力上限値ＵＬの曲線は、圧力調整器２の入口圧力が１．５６ＭＰａ（メガパスカル）のときの流量と圧力の関係であり、調整圧力下限値ＵＬの曲線は、圧力調整器２の入口圧力が０．０７ＭＰａのときの流量と圧力の関係である。  そして、この調整圧力上限値ＵＬの曲線と調整圧力下限値ＤＬの曲線のデータがテーブルとしてＥＥＰＲＯＭ３４に記憶されている。なお、この性能曲線は個々の圧力調整器２に対応するものであり、当然にガスメータ３にはその下流の圧力調整器２にういての性能曲線のデータが記憶されている。
【００２６】
この性能曲線で示すように、圧力調整器２からガスメータ３に流れるガスの調整圧力は、そのガスの瞬時流量に応じて変化する。そこで、この瞬時流量に対応する調整圧力上限値ＵＬと調整圧力下限値ＤＬを求め、圧力センサ３２で検出される圧力が調整圧力上限値ＵＬと調整圧力下限値ＤＬの範囲から外れると圧力調整器２の劣化の時期と判断する。なお、現状では、図３に破線で示したように圧力に関係なく２．３〜３．３ｋＰａの一定の範囲を判定基準としているが、この実施例によれば、より正確な判断が可能となる。
【００２７】
図４は実施形態におけるガスメータ３の制御部３１（マイコン）の制御プログラムの要部フローチャート、図５は同制御部３１の割込処理のフローチャートであり、同図に基づいてガスメータ３の動作を説明する。図４のの処理では、まず、ステップＳ１で、流量センサ３３で瞬時流量の流量データを取得し、ステップＳ２で流量区分に変化が有るかを判定する。変化がなければステップＳ５に進み、変化があればステップＳ３で、現在の流量区分に対応する現在流量を設定する。そして、ステップＳ４で使用時間の計時を開始して、ステップＳ５に進む。ステップＳ５では、使用時間と現在流量の積を演算し、それまでの積に加算（累算）する。なお、ガスの利用開始前は、使用時間流量値は０のままであるが、ガスの使用が開始されると、流量区分が変化するので、その時点から使用時間流量値の積算が開始される。
【００２８】
次に、ステップＳ６でその他の処理を行い、ステップＳ７に進む。ステップＳ７では携帯端末５及び集中監視装置６へ通信する通信時刻であるかを判定する。この通信時刻は例えば１日に一回所定の時刻に設定されるなど、予め決められた時刻である。そして、通信時刻でなければステップＳ１に戻り、通信時刻であれば、ステップＳ８で、それまで積算及び累算した使用時間流量値のデータを通信部３６から携帯端末５と集中監視装置６に通信する。そして、ステップＳ９で、通信済みの使用時間流量値をリセットしてステップＳ１に戻る。なお、この通信時の送信データには、当該ガスメータ３の機器番号等が含まれている。
【００２９】
以上の処理により、例えば１日１回、その日に積算した使用時間流量値のデータが携帯端末５と集中監視装置６に送信される。
【００３０】
図５の処理は、例えばタイマ割込等により一定間隔（例えば数分間隔）で起動される。先ず、ステップＳ１１で、流量センサ３３で瞬時流量の流量データＰを取得し、ステップＳ１２、圧力センサ３２で圧力データＰを取得する。次に、ステップＳ１３で、流量データに基づいて現在流量が「０」であるかを判定し、現在流量が「０」でなければ、ステップＳ１４でＥＥＰＲＯＭ３４から、瞬時流量に対応する圧力の圧力上限値ＵＬと圧力下限値ＤＬを取得する。次に、ステップＳ１５で、圧力データＰが圧力上限値ＵＬと圧力下限値ＤＬの範囲内で有るかを判定し、範囲内であればそのまま元のルーチンに復帰し、範囲内でなければ、ステップＳ１６で表示部３５の表示ランプ等により劣化警報を行い、ステップＳ１７で劣化警報が発生したことを通信部３６から携帯端末５及び集中監視装置６に通信し、元のルーチンに復帰する。
【００３１】
なお、ステップＳ１３で、現在流量が「０」であればガス機器４（複数の機器の全て）が停止時であるので、ステップＳ１８で閉塞圧力異常の判断処理を行う。そして、ステップＳ１９で異常であるかを判定し、異常でなければそのまま元のルーチンに復帰し、異常でればステップＳ１６，Ｓ１７で上記同様の処理を行う。
【００３２】
図６は携帯端末５及び集中監視装置６における制御部５１，６１の処理の要部フローチャートである。まず、制御部５１，６１のＣＰＵは、ステップＳ２１で各ガスメータ３，３，…から新規の受信が有るかを判定し、新規受信がなければステップＳ２６でその他の処理を行ってステップＳ２１に戻る。新規の受信があれば、ステップＳ２２で、受信したデータが使用時間流量値のデータであるかを判定し、判定がＹＥＳであれば、ステップＳ２３で、その受信したデータに対応するガスメータの使用時間流量値を積算し、更新する。すなわち、ＥＥＰＲＯＭ５２，６２には、各ガスメータ３，３，…毎にそれまでに受信した使用時間流量値の積算値が記憶されており、受信する毎にその使用時間流量値を積算して更新する。
【００３３】
次に、ステップＳ２４で、その更新した使用時間流量値が、対応するガスメータ３に対してＥＥＰＲＯＭ５２，６２に記憶してある（設定してある）使用時間流量上限値を越えたかを判定し、越えていなければステップＳ２６に進み、越えていれば、ステップＳ２５で、対応するガスメータ３の利用者情報と劣化警報を表示部５３，６３に表示（提示）し、ステップＳ２６に進む。また、ステップＳ２２で、受信したデータが使用時間流量値でなければ、ステップＳ２７で、受信したデータが劣化警報であるかを判定し、劣化警報であればステップＳ２５で上記同様の処理を行い、劣化警報でもなければステップＳ２６に進む。
【００３４】
以上の処理により、携帯端末５または集中監視装置６において、圧力調整器２，２，…で劣化の時期となったものがあると、その圧力調整器２の利用者の利用者情報（住所、氏名等）が表示されるので、利用者に連絡したり点検員が点検を行うなどでき、メンテナンスの効率化が図れる。
【００３５】
図７は本発明の他の実施形態のガスメータのブロック図であり、図２のガスメータと同様な要素には同符号を付記して詳細な説明は省略する。このガスメータはＥＥＰＲＯＭ３４′を備えており、このＥＥＰＲＯＭ３４′には当該ガスメータにおける使用時間流量上限値と、図３と及び前記実施例と同様な、調整圧力上限値ＵＬの曲線と調整圧力下限値ＤＬの曲線のデータがテーブルとしてＥＥＰＲＯＭ３４に記憶されている。
【００３６】
図８はこの実施形態におけるガスメータの制御部３１′の制御プログラムの要部フローチャートであり、同図に基づいて動作を説明する。まず、ステップＳ３１で、流量センサ３３で瞬時流量の流量データを取得し、ステップＳ３２で流量区分に変化が有るかを判定する。変化がなければステップＳ３５に進み、変化があればステップＳ３３で、現在の流量区分に対応する現在流量を設定する。そして、ステップＳ３４で使用時間の計時を開始して、ステップＳ３５に進む。ステップＳ３５では、使用時間と現在流量の積を演算し、それまでの積に加算（累算）する。
【００３７】
次に、ステップＳ３６で、流量センサ３３で瞬時流量の流量データＰを取得し、ステップＳ３７で、圧力センサ３２で圧力データＰを取得する。次に、ステップＳ３８で、流量データに基づいて現在流量が「０」であるかを判定し、現在流量が「０」でなければ、ステップＳ３４でＥＥＰＲＯＭ３４から、瞬時流量に対応する圧力の圧力上限値ＵＬと圧力下限値ＤＬを取得する。次に、ステップＳ３５で、圧力データＰが圧力上限値ＵＬと圧力下限値ＤＬの範囲内で有るかを判定し、範囲内であればステップＳ３９に進み、範囲内でなければ、ステップＳ３６で表示部３５の表示ランプ等により劣化警報表示を行い、ステップＳ３１に戻る。
【００３８】
なお、ステップＳ３３で、現在流量が「０」であればガス機器４（複数の機器の全て）が停止時であるので、ステップＳ３７で閉塞圧力異常の判断処理を行う。そして、ステップＳ３８で異常であるかを判定し、異常でなければステップＳ３１に戻り、異常でればステップＳ３６で劣化警報表示を行う。
【００３９】
ステップＳ３９では、使用時間流量値を累算して更新する。次に、ステップＳ４０で、その更新した使用時間流量値が、ＥＥＰＲＯＭ３４′に記憶してある使用時間流量上限値を越えたかを判定し、越えていなければステップＳ４１に進み、越えていれば、ステップＳ３６で、劣化警報表示を行ってステップＳ３１に戻る。
【００４０】
以上の処理により、前記携帯端末５または集中監視装置６と同様に、圧力調整器２で劣化の時期となったものがあると、その圧力調整器２に対応するガスメータで劣化警報表示が行われる。したがって、点検員に連絡して点検を行うなどでき、メンテナンスの効率化が図れる。
【００４１】
以上の実施形態では、ガスメータ３は瞬時流量に応じた検出圧力から、圧力調整器２の劣化の判断を行うようにしているので、調整圧力異常による劣化判断の精度が高まるが、請求項４に対応する実施形態として、この調整圧力異常の検出は、必ずしも行わなくてもよい。
【図面の簡単な説明】
【００４２】
【図１】本発明の一実施形態の圧力調整器監視システムの概略構成図である。
【図２】同圧力調整器監視システムのブロック図である。
【図３】実施形態における圧力調整器の性能曲線の例を示す図である。
【図４】実施形態におけるガスメータの制御部の制御プログラムの要部フローチャートである。
【図５】実施形態におけるガスメータの制御部の割込処理のフローチャートである。
【図６】実施形態における携帯端末及び集中監視装置の制御部の処理の要部フローチャートである。
【図７】他の実施形態におけるガスメータのブロック図である。
【図８】他の実施形態におけるガスメータの制御部の処理の要部フローチャートである。
【符号の説明】
【００４３】
１０        ガス供給設備
１          プロパンガスボンベ（ガス供給源）
２          圧力調整器
３          ガスメータ
４          ガス機器（ガス消費源）
５          携帯端末
６          集中監視装置
５１，６１  制御部（監視手段、提示手段）
５２，６２  ＥＥＰＲＯＭ（利用者情報記憶手段）
５３，６３  表示部（提示手段）
３１        制御部（演算手段）
３２        圧力センサ
３３        流量センサ
３４        ＥＥＰＲＯＭ（特性曲線記憶手段）
【図１】
0005120702.tif 000002
【図２】
0005120702.tif 000003
【図３】
0005120702.tif 000004
【図４】
0005120702.tif 000005
【図５】
0005120702.tif 000006
【図６】
0005120702.tif 000007
【図７】
0005120702.tif 000008
【図８】
0005120702.tif 000009